【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】  単離された核酸分子であって、以下：
（ａ）配列番号１、配列番号４、および配列番号６の少なくとも１つに示されるヌクレオチド配列；
（ｂ）配列番号２、配列番号５、および配列番号７の少なくとも１つに示されるポリペプチドをコードするヌクレオチド配列；
（ｃ）（ａ）または（ｂ）の相補体に、中程度または高度にストリンジェントな条件下でハイブリダイズするヌクレオチド配列であって、ここで、該ヌクレオチド配列によってコードされた該ポリペプチドは、配列番号２、配列番号５、および配列番号７の少なくとも１つに示されるポリペプチドの活性を有する、ヌクレオチド配列；ならびに
（ｄ）（ａ）〜（ｃ）のいずれかに相補的なヌクレオチド配列、からなる群より選択されるヌクレオチド配列を含む、単離された核酸分子。
【請求項２】  単離された核酸分子であって、以下：
（ａ）配列番号２、配列番号５、および配列番号７の少なくとも１つに示されるポリペプチドに少なくとも約７０％同一であるポリペプチドをコードするヌクレオチド配列であって、ここで、該ポリペプチドは、配列番号２、配列番号５、および配列番号７の少なくとも１つに示されるポリペプチドの活性を有する、ヌクレオチド配列；
（ｂ）配列番号１、配列番号４、および配列番号６の少なくとも１つに示されるヌクレオチド配列の対立遺伝子改変体またはスプライス改変体をコードするヌクレオチド配列であって、ここで、該コードされたポリペプチドは、配列番号２、配列番号５、および配列番号７の少なくとも１つに示されるポリペプチドの活性を有する、ヌクレオチド配列；
（ｃ）少なくとも約２５アミノ酸残基のポリペプチドフラグメントをコードする、配列番号１、配列番号４、および配列番号６；（ａ）；または（ｂ）の少なくとも１つのヌクレオチド配列であって、ここで、該ポリペプチドは、配列番号２、配列番号５、および配列番号７の少なくとも１つに示されるポリペプチドの活性を有する、ヌクレオチド配列；
（ｄ）少なくとも約１６ヌクレオチドのフラグメントを含む、配列番号１、配列番号４、および配列番号６の少なくとも１つのヌクレオチド配列、または（ａ）〜（ｃ）のヌクレオチド配列；
（ｅ）中程度または高度にストリンジェントな条件下で、（ａ）〜（ｄ）のいずれかの相補体にハイブリダイズする、ヌクレオチド配列であって、ここで、該ヌクレオチド配列にコードされたポリペプチドは、配列番号２、配列番号５、および配列番号７の少なくとも１つに示されるポリペプチドの活性を有する、ヌクレオチド配列；ならびに
（ｆ）（ａ）〜（ｃ）のいずれかに相補的なヌクレオチド配列、からなる群より選択されるヌクレオチド配列を含む、単離された核酸分子。
【請求項３】  単離された核酸分子であって、以下；
（ａ）少なくとも１つの保存的アミノ酸置換を有する配列番号２、配列番号５、および配列番号７の少なくとも１つに示されるポリペプチドをコードするヌクレオチド配列であって、ここで、該ポリペプチドは、配列番号２、配列番号５、および配列番号７の少なくとも１つに示されるポリペプチドの活性を有する、ヌクレオチド配列；
（ｂ）少なくとも１つのアミノ酸挿入を有する配列番号２、配列番号５、および配列番号７の少なくとも１つに示されるポリペプチドをコードするヌクレオチド配列であって、ここで、該ポリペプチドは、配列番号２、配列番号５、および配列番号７の少なくとも１つに示されるポリペプチドの活性を有する、ヌクレオチド配列；
（ｃ）少なくとも１つのアミノ酸欠失を有する配列番号２、配列番号５、および配列番号７の少なくとも１つに示されるポリペプチドをコードするヌクレオチド配列であって、ここで、該ポリペプチドは、配列番号２、配列番号５、および配列番号７の少なくとも１つに示されるポリペプチドの活性を有する、ヌクレオチド配列；
（ｄ）Ｃ末端短縮および／またはＮ末端短縮を有する配列番号２、配列番号５、および配列番号７の少なくとも１つに示されるポリペプチドをコードするヌクレオチド配列であって、ここで、該ポリペプチドは、配列番号２、配列番号５、および配列番号７の少なくとも１つに示されるポリペプチドの活性を有する、ヌクレオチド配列；
（ｅ）アミノ酸置換、アミノ酸挿入、アミノ酸欠失、Ｃ末端短縮、およびＮ末端短縮からなる群より選択される少なくとも１つの改変を有する配列番号２、配列番号５、および配列番号７の少なくとも１つに示されるポリペプチドをコードするヌクレオチド配列であって、ここで、該ポリペプチドは、配列番号２、配列番号５、および配列番号７の少なくとも１つに示されるポリペプチドの活性を有する、ヌクレオチド配列；
（ｆ）少なくとも約１６ヌクレオチドのフラグメントを含む（ａ）〜（ｅ）のヌクレオチド配列；
（ｇ）中程度または高度にストリンジェントな条件下で、（ａ）〜（ｆ）のいずれかの相補体にハイブリダイズする、ヌクレオチド配列であって、ここで、該ヌクレオチド配列によってコードされる該ポリペプチドは、配列番号２、配列番号５、および配列番号７の少なくとも１つに示されるポリペプチドの活性を有する、ヌクレオチド配列；ならびに
（ｈ）（ａ）〜（ｅ）のいずれかに相補的なヌクレオチド配列、からなる群より選択されるヌクレオチド配列を含む、単離された核酸分子。
【請求項４】  請求項１、請求項２または請求項３に記載の核酸分子を含む、ベクター。
【請求項５】  請求項１、請求項２または請求項３に記載の核酸分子を含む、宿主細胞。
【請求項６】  ネイティブなＩＬ−１７レセプター様ポリペプチドに対するプロモーター以外の調節配列に作動可能に連結された、請求項１、請求項２または請求項３のいずれかに記載の核酸分子を含む、宿主細胞。
【請求項７】  調節核酸を用いて形質転換またはトランスフェクトすることによって改変された宿主細胞であって、ここで該調節核酸が、配列番号１、４、もしくは６の配列またはこれらの対立遺伝子改変体もしくはフラグメントを含む核酸の転写または翻訳を促進する、宿主細胞。
【請求項８】  前記調節核酸配列がプロモーターである、請求項７に記載の宿主細胞。
【請求項９】  前記調節核酸配列が転写因子である、請求項７に記載の宿主細胞。
【請求項１０】  真核生物細胞である、請求項５に記載の宿主細胞。
【請求項１１】  原核生物細胞である、請求項５に記載の宿主細胞。
【請求項１２】  ＩＬ−１７レセプター様ポリペプチドを産生するためのプロセスであって、該ポリペプチドを発現するために適切な条件下で請求項５、請求項６、または請求項７に記載の宿主細胞を培養する工程、および必要に応じて、該培養物から該ポリペプチドを単離する工程を包含する、プロセス。
【請求項１３】  請求項１２に記載のプロセスによって産生される、ポリペプチド。
【請求項１４】  請求項１２に記載のプロセスであって、ここで、前記核酸分子が、ＩＬ−１７レセプター様ポリペプチドをコードするＤＮＡに作動可能に連結された、ネイティブなＩＬ−１７レセプター様ポリペプチドに対するプロモーターＤＮＡ以外のプロモーターＤＮＡを含む、プロセス。
【請求項１５】  請求項２に記載の単離された核酸分子であって、ここで、同一性パーセントは、ＧＡＰ、ＢＬＡＳＴＰ、ＢＬＡＳＴＮ、ＦＡＳＴＡ、ＢＬＡＳＴＡ、ＢＬＡＳＴＸ、ＢｅｓｔＦｉｔ、およびＳｍｉｔｈ−Ｗａｔｅｒｍａｎアルゴリズムからなる群より選択されるコンピュータープログラムを用いて決定される、単離された核酸分子。
【請求項１６】  ＩＬ−１７レセプター様ポリペプチド活性またはＩＬ−１７レセプター様ポリペプチド産生の候補インヒビターを検出するためのプロセスであって、請求項５、請求項６、請求項７、請求項１０または請求項１１に記載の細胞を、該候補インヒビターに曝露する工程、該細胞中でのＩＬ−１７レセプター様ポリペプチド活性またはＩＬ−１７レセプター様ポリペプチド産生を検出する工程、および該候補インヒビターに曝露された細胞におけるＩＬ−１７レセプター様ポリペプチドの活性を、該候補インヒビターに曝露されていない細胞における活性と比較する工程を包含する、プロセス。
【請求項１７】  ＩＬ−１７レセプター様ポリペプチド活性またはＩＬ−１７レセプター様ポリペプチド産生の候補刺激因子を検出するためのプロセスであって、請求項５、請求項６、請求項７、請求項１０または請求項１１に記載の細胞を、該候補刺激因子に曝露する工程、該細胞中でのＩＬ−１７レセプター様ポリペプチド活性またはＩＬ−１７レセプター様ポリペプチド産生を検出する工程、および該候補刺激因子に曝露された細胞におけるＩＬ−１７レセプター様ポリペプチドの活性を、該候補刺激因子に曝露されていない細胞における活性と比較する工程を包含する、プロセス。
【請求項１８】  配列番号２、配列番号５、および配列番号７の少なくとも１つに示される成熟アミノ酸配列を含む、単離されたポリペプチド。
【請求項１９】  単離されたポリペプチドであって、以下：
（ａ）配列番号２、配列番号５、および配列番号７の少なくとも１つに記載されている成熟アミノ酸配列であって、該アミノ酸配列が、残基１に成熟アミノ末端を有し、必要に応じてアミノ末端メチオニンをさらに含む、成熟アミノ酸配列；
（ｂ）配列番号２、配列番号５、および配列番号７の少なくとも１つのオルソログに対するアミノ酸配列であって、ここで該コードされるポリペプチドが、配列番号２、配列番号５、および配列番号７の少なくとも１つに示されるポリペプチド活性を有する、アミノ酸配列；
（ｃ）配列番号２、配列番号５、および配列番号７の少なくとも１つのアミノ酸配列に少なくとも約７０％同一であるアミノ酸配列であって、ここで、該ポリペプチドは、配列番号２、配列番号５、および配列番号７の少なくとも１つに示されるポリペプチド活性を有する、アミノ酸配列；
（ｄ）少なくとも約２５アミノ酸残基を含む配列番号２、配列番号５、および配列番号７の少なくとも１つに示されるアミノ酸配列のフラグメントであって、ここで、該ポリペプチドは、配列番号２、配列番号５、および配列番号７の少なくとも１つに示されるポリペプチドの活性を有する、フラグメント；ならびに
（ｅ）配列番号２、配列番号５、および配列番号７の少なくとも１つに示されるアミノ酸配列または（ａ）〜（ｂ）の少なくとも１つのいずれかの対立遺伝子改変体またはスプライス改変体のアミノ酸配列であって、ここで該ポリペプチドが、配列番号２、配列番号５、および配列番号７の少なくとも１つに示されるポリペプチドの活性を有する、アミノ酸配列、からなる群より選択されるアミノ酸配列を含む、単離されたポリペプチド。
【請求項２０】  単離されたポリペプチドであって、以下
（ａ）少なくとも１つの保存的アミノ酸置換を有する配列番号２、配列番号５、および配列番号７の少なくとも１つに示されるアミノ酸配列であって、ここで、該ポリペプチドは、配列番号２、配列番号５、および配列番号７の少なくとも１つに示されるポリペプチドの活性を有する、アミノ酸配列；
（ｂ）少なくとも１つのアミノ酸挿入を有する配列番号２、配列番号５、および配列番号７の少なくとも１つに示されるアミノ酸配列であって、ここで、該ポリペプチドは、配列番号２、配列番号５、および配列番号７の少なくとも１つに示されるポリペプチドの活性を有する、アミノ酸配列；
（ｃ）少なくとも１つのアミノ酸欠失を有する配列番号２、配列番号５、および配列番号７の少なくとも１つに示されるアミノ酸配列であって、ここで、該ポリペプチドは、配列番号２、配列番号５、および配列番号７の少なくとも１つに示されるポリペプチドの活性を有する、アミノ酸配列；
（ｄ）Ｃ末端短縮および／またはＮ末端短縮を有する配列番号２、配列番号５、および配列番号７の少なくとも１つに示されるアミノ酸配列であって、ここで、該ポリペプチドは、配列番号２、配列番号５、および配列番号７の少なくとも１つに示されるポリペプチドの活性を有する、アミノ酸配列；ならびに
（ｅ）アミノ酸置換、アミノ酸挿入、アミノ酸欠失、Ｃ末端短縮、およびＮ末端短縮からなる群より選択される少なくとも１つの改変を有する配列番号２、配列番号５、および配列番号７の少なくとも１つに示されるアミノ酸配列であって、ここで、該ポリペプチドは、配列番号２、配列番号５、および配列番号７の少なくとも１つに示されるポリペプチドの活性を有する、アミノ酸配列、からなる群より選択されるアミノ酸配列を含む、単離されたポリペプチド。
【請求項２１】  請求項１、請求項２、または請求項３に記載の核酸分子によってコードされる、単離されたポリペプチド。
【請求項２２】  請求項１９または請求項２０に記載のポリペプチドであって、ここで配列番号２の１６７位のアミノ酸、配列番号５の２２５位のアミノ酸、または配列番号７の５０位のアミノ酸が、ロイシン、イソロイシン、バリン、メチオニン、またはフェニルアラニンである、ポリペプチド。
【請求項２３】  請求項１９または請求項２０に記載のポリペプチドであって、ここで配列番号２の２６１位のアミノ酸、配列番号５の３１９位のアミノ酸、または配列番号７の１４４位のアミノ酸が、システイン、セリン、またはアラニンである、ポリペプチド。
【請求項２４】  請求項１９または請求項２０に記載のポリペプチドであって、ここで配列番号２の２９９位のアミノ酸、配列番号５の３５７位のアミノ酸、または配列番号７の２１２位のアミノ酸が、ロイシン、ノルロイシン、グルタミン、アスパラギン、アルギニン、または１，４−ジアミノ酪酸である、ポリペプチド。
【請求項２５】  請求項１９または請求項２０に記載のポリペプチドであって、ここで配列番号２の３１３位のアミノ酸、配列番号５の３７１位のアミノ酸、または配列番号７の１９６位のアミノ酸が、チロシン、フェニルアラニン、またはトリプトファンである、ポリペプチド。
【請求項２６】  請求項１９または請求項２０に記載のポリペプチドであって、ここで配列番号２の４１３位のアミノ酸、配列番号５の４７１位のアミノ酸、または配列番号７の２９６位のアミノ酸が、グリシン、プロリン、またはアラニンである、ポリペプチド。
【請求項２７】  請求項１９または請求項２０に記載のポリペプチドであって、ここで配列番号２の４３３位のアミノ酸、配列番号５の４９１位のアミノ酸、または配列番号７の３１３位のアミノ酸が、アスパラギン酸、またはグルタミン酸である、ポリペプチド。
【請求項２８】  請求項１９に記載の単離されたポリペプチドであって、ここで、同一性パーセントは、ＧＡＰ、ＢＬＡＳＴＰ、ＢＬＡＳＴＮ、ＦＡＳＴＡ、ＢＬＡＳＴＡ、ＢＬＡＳＴＸ、ＢｅｓｔＦｉｔ、およびＳｍｉｔｈ−Ｗａｔｅｒｍａｎアルゴリズムからなる群より選択されるコンピュータープログラムを用いて決定される、単離されたポリペプチド。
【請求項２９】  配列番号２、配列番号５、および配列番号７の少なくとも１つのアミノ酸配列を含むペプチドで動物を免疫することによって産生される、抗体。
【請求項３０】  請求項１８、１９、２０または２１に記載のポリペプチドを特異的に結合する、抗体またはそのフラグメント。
【請求項３１】  モノクローナル抗体である、請求項３０に記載の抗体。
【請求項３２】  配列番号２、配列番号５、および配列番号７の少なくとも１つのアミノ酸配列を含むペプチドに結合するモノクローナル抗体を産生する、ハイブリドーマ。
【請求項３３】  請求項２９、請求項３０、または請求項３１の抗ＩＬ−１７レセプター様抗体またはフラグメントを用いて、ＩＬ−１７レセプター様ポリペプチドの量を検出または定量する方法。
【請求項３４】  少なくとも１つのポリペプチドと特異的に結合する選択的結合因子またはそのフラグメントであって、該ポリペプチドが、以下：
（ａ）配列番号２、配列番号５、および配列番号７の少なくとも１つに示すアミノ酸配列；
（ｂ）配列番号２、配列番号５、および配列番号７の少なくとも１つに示すアミノ酸配列のフラグメント；ならびに
（ｃ）（ａ）または（ｂ）の天然に存在する改変体、からなる群より選択されるアミノ酸配列を含む、選択的結合因子またはそのフラグメント。
【請求項３５】  抗体またはそのフラグメントである、請求項３４に記載の選択的結合因子。
【請求項３６】  ヒト化抗体である、請求項３４に記載の選択的結合因子。
【請求項３７】  ヒト化抗体またはそのフラグメントである、請求項３４に記載の選択的結合因子。
【請求項３８】  ポリクローナル抗体またはそのフラグメントである、請求項３４に記載の選択的結合因子。
【請求項３９】  モノクローナル抗体またはそのフラグメントである、請求項３４に記載の選択的結合因子。
【請求項４０】  キメラ抗体またはそのフラグメントである、請求項３４に記載の選択的結合因子。
【請求項４１】  ＣＤＲ移植抗体またはそのフラグメントである、請求項３４に記載の選択的結合因子。
【請求項４２】  抗イディオタイプ抗体またはそのフラグメントである、請求項３４に記載の選択的結合因子。
【請求項４３】  可変領域フラグメントである、請求項３４に記載の選択的結合因子。
【請求項４４】  ＦａｂフラグメントまたはＦａｂ’フラグメントである、請求項４３に記載の可変領域フラグメント。
【請求項４５】  配列番号２、配列番号５、および配列番号７の少なくとも１つのアミノ酸配列を有するポリペプチドに特異性を有する少なくとも１つの相補性決定領域を含む、選択的結合因子またはそのフラグメント。
【請求項４６】  検出可能標識に結合される、請求項３４に記載の選択的結合因子。
【請求項４７】  ＩＬ−１７レセプター様ポリペプチドの生物学的活性を拮抗する、請求項３４に記載の選択的結合因子。
【請求項４８】  ＩＬ−１７レセプター様ポリペプチドのＩＬ−１７Ｅリガンドに対する結合を阻害する、請求項３４に記載の選択的結合因子。
【請求項４９】  請求項３４、請求項４７または請求項４８に記載の有効量の選択的結合因子を含む医薬組成物であって、疾患、状態または障害を、処置、予防または改善するための、医薬組成物。
【請求項５０】  配列番号２、配列番号５、および配列番号７の少なくとも１つのアミノ酸配列を含むポリペプチドで動物を免疫することによって産生される、選択的結合因子。
【請求項５１】  請求項１、請求項２、または請求項３に記載のポリペプチドと結合し得る選択的結合因子を産生する、ハイブリドーマ。
【請求項５２】  請求項３４、請求項４７、または請求項４８の選択的結合因子および薬学的に受容可能な処方剤を含む、組成物。
【請求項５３】  請求項１８、請求項１９、または請求項２０のポリペプチドおよび薬学的に受容可能な処方剤を含む、組成物。
【請求項５４】  前記薬学的に受容可能な処方剤が、キャリア、アジュバント、溶解剤、安定剤、または抗酸化剤である、請求項５３に記載の組成物。
【請求項５５】  前記ポリペプチドが、配列番号２、配列番号５、および配列番号７の少なくとも１つのアミノ酸配列を含むポリペプチドである、請求項５３に記載の組成物。
【請求項５６】  請求項１８、請求項１９、または請求項２０のポリペプチドの誘導体を含むポリペプチド。
【請求項５７】  水溶性ポリマーを用いて共有結合的に改変された、請求項５６に記載のポリペプチド。
【請求項５８】  請求項５６に記載のポリペプチドであって、ここで、前記水溶性ポリマーが、ポリエチレングリコール、モノメトキシポリエチレングリコール、デキストラン、セルロース、ポリ−（Ｎ−ビニルピロリドン）ポリエチレングリコール、プロピレングリコールホモポリマー、ポリプロピレンオキシド／エチレンオキシドコポリマー、ポリオキシエチル化ポリオール、およびポリビニルアルコールからなる群より選択される、ポリペプチド。
【請求項５９】  請求項１、請求項２または請求項３に記載の核酸分子および薬学的に受容可能な処方剤を含む、組成物。
【請求項６０】  前記核酸分子が、ウイルスベクター中に含まれる、請求項５９に記載の組成物。
【請求項６１】  請求項１、請求項２または請求項３に記載の核酸分子を含む、ウイルスベクター。
【請求項６２】  異種アミノ酸配列に融合された、請求項１８、請求項１９、請求項２０、または請求項２１に記載のポリペプチドを含む、融合ポリペプチド。
【請求項６３】  前記異種アミノ酸配列が、免疫グロブリン定常ドメインまたはそのフラグメントまたはその改変体である、請求項６２に記載の融合ポリペプチド。
【請求項６４】  哺乳動物において、ＩＬ−１７レセプター様ポリペプチドのレベルまたは活性が減少することから生ずる病的状態を、処置、予防または改善するための医薬組成物であって、請求項１８、請求項１９もしくは請求項２０に記載のポリペプチド、または請求項１、請求項２もしくは請求項３に記載の核酸によってコードされるポリペプチドを含む、医薬組成物。
【請求項６５】  哺乳動物において、ＩＬ−１７レセプター様ポリペプチドのレベルまたは活性が減少することから生ずる病的状態を、処置、予防または改善するための医薬組成物であって、請求項１、請求項２もしくは請求項３に記載の核酸または請求項１、請求項２もしくは請求項３に記載の核酸の転写または翻訳を促進する核酸のある量を含む、医薬組成物。
【請求項６６】  哺乳動物において、ＩＬ−１７レセプター様ポリペプチドのレベルまたは活性が増大することから生ずる病的状態を、処置、予防または改善するための医薬組成物であって、請求項３４に記載の選択的結合因子を含む、医薬組成物。
【請求項６７】  哺乳動物において、ＩＬ−１７レセプター様ポリペプチドのレベルまたは活性が増大することから生ずる病的状態を、処置、予防または改善するための医薬組成物であって、請求項１、請求項２もしくは請求項３に記載の核酸の転写または翻訳を阻害するアンチセンスオリゴヌクレオチドを含む、医薬組成物。
【請求項６８】  被験体においてＩＬ−１７レセプター様ポリペプチドの異常なレベルによって起こるかまたはこれから生じる病的状態または病的状態に対する感受性を診断する方法であって、以下：
（ａ）サンプル中の、請求項１８、請求項１９、もしくは請求項２０に記載のポリペプチド、または請求項１、請求項２、もしくは請求項３に記載の核酸分子によってコードされるポリペプチドの、発現の存在または発現量を決定する工程；および
（ｂ）正常被験体またはより早い時期の該被験体由来の生物学的サンプル、組織サンプルまたは細胞サンプル中のＩＬ−１７レセプター様ポリペプチドのレベルを比較する工程であって、病理学的状態に対する感受性が、該ポリペプチドの発現の存在または量に基づいて診断される、工程、を包含する、方法。
【請求項６９】  デバイスであって、以下：
（ａ）移植に適した膜；および
（ｂ）該膜内にカプセル化された細胞であって、該細胞は、請求項１８、請求項１９、もしくは請求項２０に記載のタンパク質を分泌し；そして、ここで該膜は、該タンパク質に対して透過性であり、そして該細胞に有害な物質に対して不透過性である、細胞を備える、デバイス。
【請求項７０】  デバイスであって、以下：
（ａ）移植に適切な膜；および
（ｂ）該膜内にカプセル化されたＩＬ−１７レセプター様ポリペプチドであって、ここで該膜は、該ポリペプチドに対して透過性であり、そして該ポリペプチドに有害な物質に対して不透過性である、ＩＬ−１７レセプター様ポリペプチドを備える、デバイス。
【請求項７１】  ポリペプチドに結合する化合物を同定する方法であって、以下：
（ａ）請求項１８、請求項１９、請求項２０、もしくは請求項２１に記載のポリペプチドを、化合物と接触させる工程；および
（ｂ）該化合物に対する該ポリペプチドの結合の程度を決定する工程、を包含する、方法。
【請求項７２】  動物においてポリペプチドのレベルを調節する方法であって、請求項１、請求項２、または請求項３に記載の核酸分子を該動物に投与する工程を包含する、方法。
【請求項７３】  請求項１、請求項２、または請求項３に記載の核酸分子を含む、トランスジェニック非ヒト哺乳動物。
【請求項７４】  診断試薬であって、配列番号２、配列番号５、または配列番号７の少なくとも１つに示すアミノ酸配列、またはその対立遺伝子改変体およびスプライス改変体を含む、そのフラグメント、改変体もしくはホモログをコードする、検出可能に標識されたポリヌクレオチドを含む、診断試薬。
【請求項７５】  前記標識されたポリヌクレオチドが、第１鎖ｃＤＮＡである、請求項７４に記載の診断試薬。
【請求項７６】  生物学的サンプル中のＩＬ−１７レセプター様核酸の存在を検出するための方法であって、以下の工程：
（ａ）ＩＬ−１７レセプター様核酸を含む疑いのある生物学的サンプルを提供する工程；
（ｂ）該生物学的サンプルを、請求項７５に記載の診断試薬と、該診断試薬が該生物学的サンプル中に含まれる核酸にハイブリダイズする条件下で接触させる工程；
（ｃ）該生物学的サンプルにおけるＩＬ−１７レセプター様核酸と該診断試薬との間のハイブリダイゼーションを検出する工程；および
（ｄ）該生物学的サンプルと診断試薬との間のハイブリダイゼーションのレベルを、既知濃度のＩＬ−１７レセプター様核酸と該診断試薬との間のハイブリダイゼーションのレベルと比較する工程、を包含する、方法。
【請求項７７】  組織サンプルまたは細胞サンプルにおけるＩＬ−１７レセプター様核酸の存在を検出するための方法であって、以下の工程：
（ａ）ＩＬ−１７レセプター様核酸を含む疑いのある組織サンプルまたは細胞サンプルを提供する工程；
（ｂ）該組織サンプルまたは細胞サンプルを、請求項７５に記載の診断試薬と、該診断試薬が該ＩＬ−１７レセプター様核酸とハイブリダイズする条件下で接触させる工程；
（ｃ）該組織サンプルまたは細胞サンプルにおけるＩＬ−１７レセプター様核酸と該診断試薬との間のハイブリダイゼーションを検出する工程；および
（ｄ）該組織サンプルまたは細胞サンプルと診断試薬との間のハイブリダイゼーションのレベルを、既知濃度のＩＬ−１７レセプター様核酸と該診断試薬との間のハイブリダイゼーションのレベルと比較する工程、を包含する、方法。
【請求項７８】  前記ポリヌクレオチド分子が、ＤＮＡである、請求項７６または請求項７７に記載の方法。
【請求項７９】  前記ポリヌクレオチド分子が、ＲＮＡである、請求項７６または請求項７７に記載の方法。
【請求項８０】  ＩＬ−１７レセプター様ポリペプチドとＩＬ−１７Ｅリガンドとの相互作用の候補インヒビターを同定するための方法であって、試験化合物の存在下および非存在下での該ＩＬ−１７レセプター様ポリペプチドの該ＩＬ−１７Ｅリガンドへの結合を検出する工程、および該結合が該試験化合物の存在下で減少する場合に、候補インヒビターとして該試験化合物を同定する工程、を包含する、方法。
【請求項８１】  前記ＩＬ−１７Ｅリガンドが配列番号２３の成熟タンパク質アミノ酸配列を含む、請求項８０に記載の方法。
【請求項８２】  前記ＩＬ−１７レセプター様ポリペプチドが配列番号２、配列番号５、または配列番号７の成熟タンパク質アミノ酸配列を含む、請求項８０に記載の方法。
【請求項８３】  ＩＬ−１７Ｅリガンドによって媒介される病的状態を、処置、予防、または改善するための医薬組成物であって、ＩＬ−１７ＥリガンドまたはＩＬ−１７レセプター様ポリペプチドに特異的に結合する分子の治療有効量を含む、医薬組成物。
【請求項８４】  ＩＬ−１７レセプター様ポリペプチドのＩＬ−１７Ｅリガンドとの望ましくない相互作用を阻害するための医薬組成物であって、ＩＬ−１７レセプター様ポリペプチドまたはＩＬ−１７Ｅリガンドに結合し得る分子の治療有効量を含む、医薬組成物。
【請求項８５】  前記分子が請求項８０に記載の方法によって同定される候補インヒビターである、請求項８３または請求項８４に記載の医薬組成物。
【請求項８６】  前記分子が請求項３４に記載の選択的結合因子である、請求項８３または請求項８４に記載の医薬組成物。
【請求項８７】  前記分子が、ＩＬ−１７Ｅリガンドに結合する請求項１８、請求項１９、請求項２０または請求項２１のポリペプチドである、請求項８３または請求項８４に記載の医薬組成物。
【請求項８８】  前記病的状態が免疫系の機能障害、炎症、または感染に関連するものである、請求項８３に記載の医薬組成物。
【請求項８９】  ＩＬ−１７レセプター様ポリペプチドの活性を拮抗するための医薬組成物であって、請求項１８、請求項１９、請求項２０、請求項２１、請求項６２、もしくは請求項６３のポリペプチド、またはＩＬ−１７レセプター様ポリペプチド選択的結合因子、低分子、アンチセンスオリゴヌクレオチド、ペプチド、またはＩＬ−１７レセプター様ポリペプチドに対する特異性を有するこれらの誘導体の有効量を含む、医薬組成物。